(57)【要約】【課題】光が垂直に入射した場合のみならず、光が傾斜した方向に入射した場合においても発電効率が高い太陽電池モジュールを提供する。【解決手段】太陽電池モジュール１は、太陽電池１０と、第１の反射部材３０と、第２の反射部材４０ａとを備えている。第１の反射部材３０は、第２の主面１０ｂの法線方向から視た際に太陽電池１０と重ならない位置に配置されているとともに、第２の主面１０ｂ側から入射する入射光の一部を第１の主面１０ａ側に反射する第１の光反射面３１を有する。第２の反射部材４０ａは、第１の主面１０ａの法線方向から視た際に太陽電池１０と重ならない位置に配置されるとともに、入射光の一部を第１の主面１０ａ側に反射する第２の光反射面４１ａと、第１の光反射面３１により反射された入射光の一部を第１の光反射面３１側に反射する第３の光反射面４２ａとを有する部分を含む。【選択図】図１
2012204596.tif 000002
【特許請求の範囲】
【請求項１】
第１の主面と、第２の主面とを有する太陽電池と、
前記太陽電池の前記第１の主面側に配置されている第１の反射部材と、
前記第１の反射部材と前記第１の主面との間に配置されている第２の反射部材とを備え、
前記第１の反射部材は、前記第２の主面の法線方向から視た際に前記太陽電池と重ならない位置に配置されているとともに、前記第２の主面側から入射する入射光の一部を前記第１の主面側に反射する第１の光反射面を有し、
前記第２の反射部材は、前記第２の主面の法線方向から視た際に前記太陽電池と重ならない位置に配置されるとともに、前記入射光の一部を前記第１の主面側に反射する第２の光反射面と、前記第１の光反射面により反射された前記入射光の一部を前記第１の光反射面側に反射する第３の光反射面とを有する部分を含む太陽電池モジュール。
【請求項２】
前記第２の反射部材は、前記第２の主面の法線方向から視た際に前記太陽電池と前記第１の光反射面との間に配置されている、請求項１に記載の太陽電池モジュール。
【発明の詳細な説明】
【技術分野】
【０００１】
本発明は、太陽電池モジュールに関する。
【背景技術】
【０００２】
従来、特許文献１などに記載されているように、太陽電池の光入射面とは反対側に配された光反射面を有する集光型の太陽電池モジュールが知られている。特許文献１に記載の太陽電池モジュールは、倍率が２〜４倍程度の低倍率集光型である太陽電池モジュールである。
【先行技術文献】
【特許文献】
【０００３】
【特許文献１】特開２０１１−３８３４号公報
【発明の概要】
【発明が解決しようとする課題】
【０００４】
一般的に、集光型の太陽電池モジュールでは、光反射面は、光が垂直に入射した場合に太陽電池への集光効率が最大となるように設計されている。しかしながら、太陽追尾装置を有さない場合、太陽電池モジュールに対して光が傾斜した方向から入射する場合もある。
【０００５】
特許文献１に記載の太陽電池モジュールを、垂直に入射した光に対して太陽電池への集光効率が最大となるように設計した場合、光が傾斜した方向から入射した場合における集光効率が低くなる場合がある。一方、特許文献１に記載の太陽電池モジュールを、傾斜した方向から入射した光に対して太陽電池への集光効率が最大となるように設計した場合、太陽の動きに伴い光が垂直に入射した場合における集光効率が低くなる場合がある。
【０００６】
本発明は、斯かる点に鑑みてなされたものであり、その目的は、光が垂直に入射した場合のみならず、光が傾斜した方向に入射した場合においても発電効率が高い太陽電池モジュールを提供することにある。
【課題を解決するための手段】
【０００７】
本発明に係る太陽電池モジュールは、太陽電池と、第１の反射部材と、第２の反射部材とを備えている。太陽電池は、第１の主面と、第２の主面とを有する。第１の反射部材は、太陽電池の第１の主面側に配置されている。第２の反射部材は、第１の反射部材と第１の主面との間に配置されている。第１の反射部材は、第１の光反射面を有する。第１の光反射面は、第２の主面の法線方向から視た際に太陽電池と重ならない位置に配置されているとともに、第２の主面側から入射する入射光の一部を第１の主面側に反射する。第２の反射部材は、第２の主面の法線方向から視た際に太陽電池と重ならない位置に配置されるとともに、入射光の一部を第１の主面側に反射する第２の光反射面と、第１の光反射面により反射された入射光の一部を第１の光反射面側に反射する第３の光反射面とを有する部分を含む。この構成によれば、太陽電池モジュールに対して、光が垂直に入射した場合のみならず、光が傾斜した方向に入射した場合においても光の入射効率を高めることができる。従って、太陽電池モジュールに対して光が垂直に入射した場合のみならず、光が傾斜した方向に入射した場合における発電効率も高めることができる。
【０００８】
第２の反射部材は、第２の主面の法線方向から視た際に太陽電池と第１の光反射面との間に配置されていることが好ましい。この構成によれば、第２の主面側から第１の主面側
に向かって光が入射したときの集光効率をより高めることができる。
【発明の効果】
【０００９】
本発明によれば、光が垂直に入射した場合のみならず、光が傾斜した方向に入射した場合においても発電効率が高い太陽電池モジュールを提供することができる。
【図面の簡単な説明】
【００１０】
【図１】第１の実施形態に係る太陽電池モジュールの略図的断面図である。
【図２】第１の実施形態に係る太陽電池モジュールの略図的平面図である。
【図３】第１の実施形態における太陽電池の略図的斜視図である。
【図４】第１の実施形態の参考例（第１の参考例）に係る太陽電池モジュールの略図的断面図である。
【図５】第１の実施形態に係る太陽電池モジュールに入射角２３．４°の光が入射したときを説明するための略図的断面図である。
【図６】第２の実施形態に係る太陽電池モジュールの略図的断面図である。
【図７】第２の実施形態の参考例（第２の参考例）に係る太陽電池モジュールの略図的断面図である。
【図８】第２の実施形態に係る太陽電池モジュールに入射角２３．４°の光が入射したときを説明するための略図的断面図である。
【図９】第２の実施形態の変形例に係る太陽電池モジュールの略図的断面図である。
【図１０】第３の実施形態に係る太陽電池モジュールの略図的断面図である。
【図１１】第４の実施形態に係る太陽電池モジュールの略図的断面図である。
【図１２】第５の実施形態に係る太陽電池モジュールの略図的断面図である。
【図１３】第６の実施形態に係る太陽電池モジュールの略図的断面図である。
【図１４】第７の実施形態に係る太陽電池モジュールの略図的断面図である。
【図１５】第８の実施形態に係る太陽電池モジュールの略図的断面図である。
【発明を実施するための形態】
【００１１】
以下、本発明を実施した好ましい形態の一例について説明する。但し、下記の実施形態は、単なる例示である。本発明は、下記の実施形態に何ら限定されない。
【００１２】
また、実施形態等において参照する各図面において、実質的に同一の機能を有する部材は同一の符号で参照することとする。また、実施形態等において参照する図面は、模式的に記載されたものであり、図面に描画された物体の寸法の比率などは、現実の物体の寸法の比率などとは異なる場合がある。図面相互間においても、物体の寸法比率等が異なる場合がある。具体的な物体の寸法比率等は、以下の説明を参酌して判断されるべきである。
【００１３】
（第１の実施形態）
図１は、第１の実施形態に係る太陽電池モジュールの略図的断面図である。図２は、第１の実施形態に係る太陽電池モジュールの略図的平面図である。詳細には、図１は、図２の線Ｉ−Ｉにおける略図的断面図である。
【００１４】
太陽電池モジュール１は、低倍率集光型（具体的には、２倍集光型）の太陽電池モジュールである。
【００１５】
太陽電池モジュール１は、短辺がＬ３、長辺がＬ０の矩形状の複数の太陽電池１０を備えている。ここで、太陽電池１０の厚み方向をｚ方向とする。個々の太陽電池１０は、長手方向が、ｚ方向に対して垂直なｙ方向に沿い、短手方向がｚ方向及びｙ方向の各々に対して垂直なｘ方向に沿うように配置されている。複数の太陽電池１０は、ｘ方向及びｙ方向に沿った仮想平面上において、ｘ方向及びｙ方向に沿って、等間隔にマトリクス状に配
列されている。ｘ方向において隣接する太陽電池１０間の間隔Ｌ１は、Ｌ３の０．５倍以上である。間隔Ｌ１は、ｙ方向において隣接する太陽電池１０間の間隔Ｌ２よりも長い。具体的には、Ｌ１は、Ｌ２の２倍以上とされている。
【００１６】
太陽電池１０の種類は、特に限定されず、太陽電池１０は、例えば、単結晶シリコン太陽電池、多結晶シリコン太陽電池、化合物半導体太陽電池等により構成することができる。ここでは、太陽電池１０が、図３に示す単結晶シリコン太陽電池基板により構成されている場合について説明する。
【００１７】
図３に示すように、太陽電池１０は、第１の導電型（例えば、ｎ型）の単結晶シリコン基板１１を有する。第２の主面１０ｂ側の単結晶シリコン基板１１の主面の上には、ｉ型のアモルファスシリコン層１３、ｐ型のアモルファスシリコン層１２、透明電極１４、複数の集電電極１５が順次設けられている。透明電極１４は、例えば、Ｉｎｄｉｕｍ  Ｔｉｎ  Ｏｘｉｄｅ（ＩＴＯ）などの透明導電性酸化物により構成することができる。集電電極１５は、相互に平行に延びる線状であり、金属や合金導電性ペーストからなる。第１の表面１０ａ側の単結晶シリコン基板１１の主面の上、ｉ型のアモルファスシリコン層１７、ｎ型のアモルファスシリコン層１６には、透明電極１８、複数の集電電極１９が順次設けられている。透明電極１８は、例えば、ＩＴＯなどの透明導電性酸化物により構成することができる。集電電極１９は、相互に平行に延びる線状であり、金属や合金導電性ペーストからなる。
【００１８】
なお、太陽電池１０は、第２の主面１０ｂ側から光が入射したときにも発電するし、第１の主面１０ａ側から光が入射したときにも発電する。
【００１９】
太陽電池モジュール１は、保護基板２０側（ｚ１側）から光が入射するように配置される。図１に示すように、複数の太陽電池１０のｚ１側には、保護基板２０が配置されている。一方、複数の太陽電池１０のｚ２側には、第１の反射部材３０が配置されている。すなわち、複数の太陽電池１０は、ｚ方向において、保護基板２０と第１の反射部材３０との間に配置されている。太陽電池１０は、第１の主面１０ａが裏面側（ｚ２側）を向き、第２の主面１０ｂがｚ１側を向くように配置される。
【００２０】
保護基板２０は、例えば、ガラス基板やプラスチック基板により構成することができる。保護基板２０の厚みは、例えば、１ｍｍ〜５ｍｍ程度とすることができる。
【００２１】
保護基板２０と、第１の反射部材３０との間には、充填材２１が充填されている。この充填材２１によって、複数の太陽電池１０が封止されている。充填材２１は、例えば、エチレン・酢酸ビニル共重合体（ＥＶＡ）等により構成することができる。
【００２２】
第１の反射部材３０は、例えば、表面に反射膜が形成された板状部材により構成することができる。反射膜は、例えば、ステンレスや防水性樹脂シート等により構成することができる。第１の反射部材３０が、板状部材からなる場合、充填剤２１は、射出成型により形成してもよい。あるいは、ＥＶＡ等の樹脂シートを、板状部材と保護基板の間で挟み、加圧しながら加熱して成型してもよい。
【００２３】
あるいは、充填剤をアクリルなどで、切削形成し、充填材のｚ２側に、銀やアルミニウムを形成することで、銀やアルミニウムを反射部材としてもよい。
【００２４】
第１の反射部材３０は、光を反射する第１の光反射面３１を有する。第１の光反射面３１は、第１の反射部材３０のｚ１側の表面の上に設けられている。第１の光反射面３１は、太陽電池モジュール１の略全面に設けられている。このため、第１の光反射面３１は、
太陽電池１０の第１の主面１０ａの法線方向（ｚ方向）から視た際に太陽電池１０と重ならないように位置している部分と、太陽電池１０と重なるように位置している部分とを含む。
【００２５】
具体的には、第１の光反射面３１は、複数の第１の光反射面部３１ａと、複数の第２の光反射面部３１ｂとを有する。第１の光反射面部３１ａと第２の光反射面部３１ｂとの各々は、平面状である。複数の第１の光反射面部３１ａと複数の第２の光反射面部３１ｂとは、ｘ方向に沿って交互に配列されている。
【００２６】
第１の光反射面部３１ａは、ｘ１側端部（Ｅ１）が太陽電池１０のｘ方向における中央のｚ２側に位置し、ｘ２側端部（Ｅ２）がｘ方向において隣り合う太陽電池１０の中央に位置するように設けられている。第１の光反射面部３１ａの法線は、ｚ１方向とｘ１方向の間の方向を向くように、ｚ１方向からθ１だけ傾いている。すなわち、第１の光反射面部３１ａは、第１の光反射面部３１ａの法線方向から視た際に、第１の主面１０ａと重なる部分を有する。
【００２７】
第１の光反射面部３１ａのｘ方向に沿った長さＬ９は、Ｌ３の０．７５倍以上が好ましい。具体的には、Ｌ９は、長さＬ３と等しい。第１の光反射面部３１ａの太陽電池１０とｚ方向から見て重なっている部分のｘ方向に沿った長さＬ４は、長さＬ３の０．２５倍〜０．７５倍が好ましい。具体的には、長さＬ４は、長さＬ３の１／２である。第１の光反射面部３１ａの太陽電池１０よりもｘ２側に位置する部分のｘ方向に沿った長さＬ５は、長さＬ３の０．２５倍以上であることが好ましい。具体的には、長さＬ５は、長さＬ３の１／２である。第１の光反射面部３１ａの第１の主面１０ａに対する角度θ２は、１５°〜４５°であることが好ましい。具体的には、角度θ２は、３０°である。
【００２８】
第２の光反射面部３１ｂは、ｘ２側端部（Ｅ１）が太陽電池１０のｘ方向における中央のｚ２側に位置し、ｘ１側端部（Ｅ３）がｘ方向において隣り合う太陽電池１０の中央に位置するように設けられている。第２の光反射面部３１ｂの法線は、ｚ１方向とｘ１方向の間の方向を向くように、ｚ１方向からθ１だけ傾いている。第２の光反射面部３１ｂは、第２の光反射面部３１ｂの法線方向から視た際に、第１の主面１０ａと重なる部分を有する。
【００２９】
ここで、第１の光反射面部３１ａの端部Ｅ１は、太陽電池１０の中央のｚ２側で、第２の光反射面部３１ｂの端部Ｅ１と接する。このため、隣り合う第１の光反射面部３１ａと第２の光反射面部３１ｂとは、太陽電池１０のｘ方向における中央部に底部が位置し、ｘ方向において隣り合う太陽電池１０の中央に頂部が位置する略Ｖ字状に設けられている。また、第１の光反射面部３１ｃのｘ２側の端部Ｅ３は、ｘ方向に隣り合う太陽電池１０の中央において、第２の光反射面部３１ｂの端部Ｅ３と接する。このため、隣り合う第１の光反射面部３１ｃと第２の光反射面部３１ｂとは、略Λ字状に設けられている。
【００３０】
第２の光反射面部３１ｂのｘ方向に沿った長さＬ８は、Ｌ３の０．７５倍以上が好ましい。第２の光反射面部３１ｂの太陽電池１０とｚ方向から見て重なっている部分のｘ方向に沿った長さＬ６は、長さＬ３の０．７５倍〜０．２５倍である。第２の光反射面部３１ｂの太陽電池１０よりもｘ１側に位置する部分のｘ方向に沿った長さＬ７は、長さＬ３の０．７５倍以上であることが好ましい。第２の光反射面部３１ｂの第１の主面１０ａに対する角度θ１は、１５°〜４５°である。
【００３１】
第１の光反射面３１と第１の主面１０ａとの間には、第２の反射部材４０ａ、４０ｂが配置されている。第２の反射部材４０ａ、４０ｂは、第１の反射部材３０に固定されていてもよい。また、第２の反射部材４０ａ、４０ｂは、太陽電池モジュール１の保護基板２
０の外側に設けられた枠（図示せず）に固定されていてもよい。
【００３２】
第２の反射部材４０ａは、第１の光反射面３１の第１の光反射面部３１ａと第１の主面１０ａとの間に配置されている。すなわち、第１の主面１０ａのｘ１側端部Ｅ４と、第１の主面１０ａのｘ２側端部Ｅ５と、端部Ｅ１と、端部Ｅ２とにより囲まれた領域内に、第２の反射部材４０ａが配置されている。より好ましくは、端部Ｅ４と、端部Ｅ５と、端部Ｅ２とにより囲まれた領域内に、第２の反射部材４０ａが配置されている。
【００３３】
第２の反射部材４０ｂは、第１の光反射面３１の第２の光反射面部３１ｂと第１の主面１０ａとの間に配置されている。すなわち、端部Ｅ４と、端部Ｅ５と、端部Ｅ３と、端部Ｅ１とにより囲まれた領域内に、第２の反射部材４０ｂが配置されている。太陽電池１０のｘ方向のｘ１側には、第２の反射部材４０ｂが配置されており、太陽電池１０のｘ方向のｘ２側には、第２の反射部材４０ａが配置されている。
【００３４】
第２の反射部材４０ａは、光を反射する第２の光反射面４１ａと、光を反射する第３の光反射面４２ａとを有する。第２の光反射面４１ａと第３の光反射面４２ａとの各々は、平面状である。第２の光反射面４１ａと第３の光反射面４２ａとは平行である。第２の光反射面４１ａは、第１の主面１０ａを向いている。第２の光反射面４１ａは、第２の光反射面４１ａの法線方向から視た際に、第１の主面１０ａと重なる部分を有する。
【００３５】
第３の光反射面４２ａは、第１の光反射面部３１ａ側を向いている。第３の光反射面４２ａは、第３の光反射面４２ａの法線方向から視た際に、第１の光反射面部３１ａと重なる部分を有する。第３の光反射面４２ａは、第１の光反射面部３１ａと平行であることが好ましい。よって、第３の光反射面４２ａのｘ方向に対する角度θ４は、角度θ２と等しいことが好ましい。
【００３６】
第２の反射部材４０ａのｘ方向に沿った長さＬ１０は、太陽電池１０のｘ方向に沿った長さＬ３よりも短い。長さＬ１０は、第１の光反射面部３１ａのｚ方向において第１の主面１０ａと重なっていない部分のｘ方向に沿った長さＬ５の０．５倍以下が好ましい。具体的には、長さＬ１０は、長さＬ５の１／２である。このため、長さＬ１０は、ｚ方向から見て第１の主面１０ａと重なっていない第１の光反射面部３１ａの部分のうち、第２の反射部材４０ａとｚ方向から視て重なっていない部分の長さＬ１１と等しい。第２の反射部材４０ａの斜面に沿った長さ（Ｌ１０／ｃｏｓθ４）は、ｚ方向から視て第１の主面１０ａと第２の反射部材４０ａの両方と重なっていない第２の光反射面部３１ａの部分の斜面に沿った長さ（Ｌ１１／ｃｏｓθ２）以下であることが好ましい。第２の反射部材４０ａの斜面に沿った長さ（Ｌ１０／ｃｏｓθ４）は、Ｌ３未満であることが好ましい。第２の反射部材４０ａのｚ方向に沿った長さＬ１８は、端部Ｅ２と、ｚ方向から見て第２の反射部材４０ｂのｘ２側端部（Ｅ６）と重なる第１の光反射面部３１ａとの点との間のｚ方向の長さＬ１９以下であることが好ましい。第２の光反射面４１ａのｚ１側端部（Ｅ６）と第１の主面１０ａのｚ方向における距離Ｌ１７は、第２の反射部材４０ａのｚ方向に沿った長さＬ１８以上であることが好ましい。第２の反射部材４０ａのｚ２側端部（Ｅ７）は、端部Ｅ５よりもｚ２側（太陽電池１０とは反対側）に位置していることが好ましい。距離Ｌ１７と長さＬ１８はともに、例えば、３−１／２Ｌ３／４とすることができる。端部Ｅ７と端部Ｅ１とのｚ方向に沿った距離Ｌ１１０は、例えば、３−１／２Ｌ３とすることができる。
【００３７】
第２の反射部材４０ｂは、光を反射する第２の光反射面４１ｂと、光を反射する第３の光反射面４２ｂとを有する。第２の光反射面４１ｂと第３の光反射面４２ｂとの各々は、平面状である。第２の光反射面４１ｂと第３の光反射面４２ｂとは平行である。第２の光反射面４１ｂは、第１の主面１０ａを向いている。第２の光反射面４１ｂは、第２の光反
射面４１ｂの法線方向から視た際に、第１の主面１０ａと重なる部分を有する。
【００３８】
第３の光反射面４２ｂは、第２の光反射面部３１ｂ側を向いている。第３の光反射面４２ｂは、第３の光反射面４２ｂの法線方向から視た際に、第２の光反射面部３１ｂと重なる部分を有する。第３の光反射面４２ｂは、第２の光反射面部３１ｂと平行であることが好ましい。よって、第３の光反射面４２ｂのｘ方向に対する角度θ３は、角度θ１と等しいことが好ましい。
【００３９】
第２の反射部材４０ｂのｘ方向に沿った長さＬ１２は、太陽電池１０のｘ方向に沿った長さＬ３よりも短い。長さＬ１２は、第２の光反射面部３１ｂのｚ方向から視て第１の主面１０ａと重なっていない部分のｘ方向に沿った長さＬ７の０．５倍以上である。第２の反射部材４０ｂのｘ方向に沿った長さＬ１２は、第２の光反射面部３１ｂのｚ方向から視て第１の主面１０ａと重なっていない部分のうち、第２の反射部材４０ｂとｚ方向から視て重なっていない部分の長さＬ１３以下であることが好ましい。第２の反射部材４０ｂの斜面に沿った長さ（Ｌ１２／ｃｏｓθ３）は、ｚ方向から視て第１の主面１０ａと第２の反射部材４０ｂの両方と重なっていない第２の光反射面部３１ｂの部分の斜面に沿った長さ（Ｌ１３／ｃｏｓθ１）以下であることが好ましい。第２の反射部材４０ａの斜面に沿った長さ（Ｌ１２／ｃｏｓθ３）は、Ｌ３未満であることが好ましい。第２の反射部材４０ｂのｚ方向に沿った長さＬ１５は、端部Ｅ３と、ｚ方向から見て第２の反射部材４０ｂのｘ１側端部（Ｅ８）と重なる第２の光反射面部３１ｂの点との間のｚ方向の長さＬ１６以下であることが好ましい。第２の光反射面４１ｂのｚ１側端部（Ｅ８）と第１の主面１０ａのｚ方向における距離Ｌ１４は、第２の反射部材４０ｂのｚ方向に沿った長さＬ１５以上であることが好ましい。第２の反射部材４０ｂのｚ２側端部（Ｅ９）は、端部Ｅ４よりもｚ２側（太陽電池１０とは反対側）に位置していることが好ましい。距離Ｌ１４と長さＬ１５はともに、例えば、３−１／２Ｌ３／４とすることができる。端部Ｅ９と端部Ｅ１とのｚ方向に沿った距離Ｌ１１１は、例えば、３−１／２Ｌ３とすることができる。太陽電池１０のｘ２側端部Ｅ５と、第２の反射部材４０ａのｘ２側端部Ｅ６との間の距離Ｌ１１２は、太陽電池１０のｘ方向に沿った長さＬ３よりも短い。距離Ｌ１１２は、第１の光反射面部３１ａのｚ方向において第１の主面１０ａと重なっていない部分のｘ方向に沿った長さＬ５の０．５倍以下が好ましい。具体的には、距離Ｌ１１２は、長さＬ５の１／２である。
【００４０】
第１の光反射面３１と、第２の光反射面４１ａ、４１ｂと、第３の光反射面４２ａ、４２ｂとは、図１に示すように、太陽電池１０の第２の主面１０ｂ側から第１の主面１０ａに対して垂直な方向から入射した光Ｌｖが、第１の光反射面３１と、第２の光反射面４１ａ、４１ｂと、第３の光反射面４２ａ、４２ｂとによって、太陽電池１０の裏面側（ｚ２側）の主面である第１の主面１０ａに集光されるように構成されている。
【００４１】
太陽電池モジュール１は、太陽電池１０のｚ２側の端部Ｅ７と端部Ｅ９との間に、間隔を有する。この間隔のｘ方向の長さＬ２００は、Ｌ４とＬ６との和に等しい。この間隔が第２の反射部材４０ａと第２の反射部材４０ｂとの間に形成されているので、第１の反射面に入射した入射光の一部を、間隔を経由して第１の主面１０ａに入射させることができる。
【００４２】
太陽電池１０のｘ方向における中央部に垂直な面に関して、太陽電池モジュール１が面対称になっている。
【００４３】
ｘ方向に隣り合う太陽電池１０の中央に垂直な面に関して、太陽電池モジュール１が面対称になっている。
【００４４】
図４は、第１の参考例に係る太陽電池モジュールの略図的断面図である。図４に示す太陽電池モジュール１００は、第２の反射部材４０ａ、４０ｂを有さない点を除いては、第１の実施形態に係る太陽電池モジュール１と同様の構成を有する。太陽電池モジュール１００では、太陽電池モジュール１００に対して光が垂直に入射した場合に、太陽電池１０に対する集光効率が最大となるように第１の光反射面３１が設計されている。
【００４５】
ここで、この太陽電池モジュール１００を、ｙ方向が水平になるように配置し、かつ、春分及び秋分の極上正中時に太陽光が太陽電池モジュール１００に対して垂直に入射するように配置した場合を考える。この場合、夏至や冬至の極上正中時では、太陽光は、太陽電池モジュール１００に対して２３．４°傾いて太陽電池モジュール１００に入射する。図４に描画された光Ｌｓは、この入射角が２３．４°である光である。ここで、充填材２１の屈折率を１．５２とすると、光Ｌｓは、充填材２１中では約１５°傾いて進行する。その場合、第１の光反射面部３１ａのうちの領域Ａ１に入射した光と、第２の光反射面部３１ｂのうちの領域Ｂ１に入射した光が太陽電池１０の第１の主面１０ａに入射し、第１の光反射面部３１ａの領域Ａ１以外の領域に入射した光と、第２の光反射面部３１ｂの領域Ｂ１以外の領域に入射した光とは、第１の主面１０ａに入射しない。
【００４６】
例えば、第１の光反射面３１と第１の主面１０ａとの間の距離を近づけることにより、太陽電池モジュール１００に傾いて入射した光Ｌｓの第１の主面１０ａへの集光効率を高めることができるが、その場合は、太陽電池モジュール１００に対して垂直に入射した光の第１の主面１０ａへの集光効率が低くなってしまう。従って、第２の反射部材４０ａ、４０ｂを有さない太陽電池モジュール１００では、光が垂直に入射したときと、光が傾斜した方向から入射したときとの両方において発電効率を十分に高めることは困難である。
【００４７】
それに対して太陽電池モジュール１では、第１の反射部材３０に加えて、第２の反射部材４０ａ、４０ｂが設けられている。第２の光反射面４１ａ、４１ｂと第１の主面１０ａとの間の距離は、第１の光反射面３１と第１の主面１０ａとの間の距離よりも短い。このため、太陽電池モジュール１への入射光の入射角が変化した際の、第２の光反射面４１ａ、４１ｂによる反射光の第１の主面１０ａが属する平面への入射位置の移動距離は、第１の光反射面３１による反射光の第１の主面１０ａが属する平面への入射位置の移動距離よりも小さい。この結果、季節変化による太陽電池モジュール１への入射光の入射角が変化することに伴う集光ロスを低減することができる。従って、太陽電池モジュール１に対して垂直に入射した光の第１の主面１０ａへの集光効率の低下を抑制しつつ、太陽電池モジュール１に対して傾いて入射した光Ｌｓの第１の主面１０ａへの集光効率を高めることができる。
【００４８】
具体的には、例えば、本実施形態では、図５に示すように、第１の光反射面部３１ａのうちの領域Ａ２に入射した光と、第２の光反射面部３１ｂのうちの領域Ｂ３に入射した光と、第２の光反射面４２ｂのうちの領域Ｂ２に入射した光とが第１の主面１０ａに集光する。ここで、太陽電池モジュール１における領域Ｂ１の面積と、太陽電池モジュール１００における領域Ｂ２とＢ３との和の面積とは等しい。太陽電池モジュール１における領域Ａ２の面積は、太陽電池モジュール１００における領域Ａ１の面積より広い。このため、入射角２３．４°の光が入射した場合は、太陽電池モジュール１の方が、第１の主面１０ａへの集光効率が高くなる。よって、入射角２３．４°の光が入射した場合は、太陽電池モジュール１の方が、太陽電池モジュール１００よりも発電効率が高くなる。従って、光が垂直に入射した場合のみならず、光が傾斜した方向に入射した場合においても発電効率が高い太陽電池モジュール１を実現することができる。
【００４９】
なお、春分及び秋分の極上正中時に太陽光が太陽電池モジュール１に対して垂直に入射するように配置した場合には、夏至や冬至の極上正中時では、太陽光は、太陽電池モジュ
ール１００に対して２３．４°傾いて太陽電池モジュール１に入射する。このため、太陽電池モジュール１への入射角が０°〜２３．４°の範囲の光（充填材２１中においては、０°〜１５°傾いて進行する光）が入射したときに、第２の反射部材４０ａ、４０ｂの第２の光反射面４１ａ、４１ｂと第３の光反射面４２ａ、４２ｂとで太陽電池１０の第１の主面１０ａに入射するように、第１の反射部材３０と第２の反射部材４０ａ、４０ｂとが設けられていることが好ましい。
【００５０】
太陽電池モジュール１では、Ｌ１０≦Ｌ３、Ｌ１２≦Ｌ３とされている。このため、第２の反射部材４０ａ、４０ｂが大きすぎず、第２の反射部材４０ａ、４０ｂの第２の光反射面４１ａ、４１ｂと第３の光反射面４２ａ、４２ｂとで反射した光のうち、太陽電池１０の第１の主面１０ａに入射しない光の量を低減することができる。それと共に、第１の光反射面３１のうち、第２の反射部材４０ａ、４０ｂにより遮られる部分の面積を小さくすることができる。
【００５１】
太陽電池モジュール１では、Ｌ１０＜Ｌ１１、Ｌ１２＜Ｌ１３とされている。このため、第１の光反射面３１のうち、第２の反射部材４０ａ、４０ｂにより遮られる部分の面積を小さくすることができる。
【００５２】
太陽電池モジュール１では、Ｌ１０／ｃｏｓθ４≦Ｌ１１／ｃｏｓθ２、Ｌ１２／ｃｏｓθ３≦Ｌ１３／ｃｏｓθ１とされている。このため、第１の光反射面３１のうち、第２の反射部材４０ａ、４０ｂにより遮られる部分の面積を小さくすることができる。
【００５３】
太陽電池モジュール１では、Ｌ１０／ｃｏｓθ４＜Ｌ３、Ｌ１２／ｃｏｓθ３＜Ｌ３とされている。このため、第２の反射部材４０ａ、４０ｂが大きすぎず、第２の反射部材４０ａ、４０ｂの第２の光反射面４１ａ、４１ｂと第３の光反射面４２ａ、４２ｂとで反射した光のうち、太陽電池１０の第１の主面１０ａに入射しない光の量を低減することができる。それと共に、第１の光反射面３１のうち、第２の反射部材４０ａ、４０ｂにより遮られる部分の面積を小さくすることができる。
【００５４】
太陽電池モジュール１において、第２の反射部材４０ａの太陽電池１０側（ｘ１側）の端部（Ｅ７）は、端部Ｅ５とｘ方向に関して同じ位置か、端部Ｅ５よりｘ２側に位置していることが好ましい。また、第２の反射部材４０ｂの単葉電池１０側（ｘ２側）の端部（Ｅ９）は、端部Ｅ４とｘ方向に関して同じ位置か、端部Ｅ４よりｘ１側に位置していることが好ましい。このため、第１の光反射面３１のうち、第２の反射部材４０ａ、４０ｂにより遮られる部分の面積を小さくすることができる。
【００５５】
太陽電池モジュール１では、第２の反射部材４０ａと、ｘ方向とのなす角度θ４と、第２の反射部材４０ｂと、ｘ方向とのなす各度θ３とのそれぞれが、１５°〜４５°の範囲内にある。このため、太陽電池モジュール１への入射角が２３．４°以下である入射光（充填材２１中において進行方向が約１５°まで傾斜した光）の第１の主面１０ａへの集光効率を効果的に高めることができる。
【００５６】
太陽電池１０は、第１の主面１０ａに光が入射したときのみならず、第２の主面１０ｂに光が入射したときにも発電する。従って、より高い発電効率を得ることができる。
【００５７】
また、第１の光反射面３１や、第２の光反射面４１ａ、４１ｂ、第３の光反射面４２ａ、４２ｂからの反射光が、例えば、保護基板２０の充填材２１側（ｚ２側）界面や、受光面側の表面において反射させて第２の主面１０ｂに入射した場合であっても、当該入射光は発電に寄与する。従って、さらに高い発電効率を得ることができる。
【００５８】
太陽電池モジュール１では、ｘ方向において隣接する太陽電池１０間の間隔Ｌ１は、ｙ方向において隣接する太陽電池１０間の間隔Ｌ２よりも長い。このため、間隔Ｌ２の部分から入射した光は発電に寄与せず、間隔Ｌ１の部分から入射した光は発電に寄与するので、単位面積あたりに占める発電に寄与する面積を大きくすることができる。従って、さらに高い発電効率を実現することができる。また、太陽電池１０は、長手方向がｙ方向に沿った矩形状であるため、間隔Ｌ１が小さい場合においても、集光効率を向上することができる。また、太陽電池モジュール１のｚ方向に沿った厚みを薄くすることができる。
【００５９】
太陽電池モジュール１において、端部Ｅ７は、端部Ｅ２とｚ方向に関して同じ位置か、端部Ｅ２よりｚ１側に位置していることが好ましい。具体的には、端部Ｅ７は、端部Ｅ２とｚ方向に関して同じ位置にある。また、第２の反射部材４０ｂの第１の反射部材側（ｚ２方向）の端部（Ｅ９）は、端部Ｅ３とｚ方向に関して同じ位置か、端部Ｅ３よりｚ１側に位置していることが好ましい。
【００６０】
端部Ｅ５と端部Ｅ６との間のｘ方向の距離をＬｘとすると、Ｌｘ≦Ｌ１１となることが好ましい。このため、第１の光反射面３１のうち、第２の反射部材により遮られる部分の面積を小さくすることができる。
【００６１】
太陽電池モジュール１は、太陽電池１０の長手方向であるｙ方向が水平となるように設置されることが好ましい。そうすることにより、太陽の日周運動に伴う太陽の高度変化による集光効率の低下を抑制することができる。
【００６２】
なお、第１の実施形態では、距離Ｌ１１２を長さＬ５の１／２としたが、距離Ｌ１１２を長さＬ５の１／２未満としてもよい。この場合、距離Ｌ１７、長さＬ１０を小さくし、長さＬ１０を長さＬ１１より小さくし、同時に長さＬ１４、長さＬ１２を小さくし、長さＬ１２を長さＬ１３より小さくしてもよい。このようにすることにより、太陽電池モジュール１への入射光の入射角が変化した際の、第２の光反射面４１ａ、４１ｂによる反射光の第１の主面１０ａが属する平面への入射位置の移動距離をさらに小さくすることができる。
【００６３】
例えば、Ｌ１７＝Ｌ１４＝Ｌ１８＝Ｌ１５＝３−１／２Ｌ３／８とし、Ｌ１２＝Ｌ３／８としてもよい。
【００６４】
以下、本発明の好ましい実施形態の他の例について説明する。以下の説明において、上記第１の実施形態と実質的に共通の機能を有する部材を共通の符号で参照し、説明を省略する。
【００６５】
（第２の実施形態）
図６は、第２の実施形態に係る太陽電池モジュール２の略図的断面図である。
【００６６】
太陽電池モジュール２は、第１の反射部材３０の構成を除いては、第１の実施形態に係る太陽電池モジュール１と実質的に同様の構成を有する。
【００６７】
太陽電池モジュール２は、保護基板２０側（ｚ１側）から光が入射するように配置される。太陽電池モジュール２は、低倍率集光型（具体的には、３倍集光型）の太陽電池モジュールである。第１の反射部材３０の第１の光反射面３１と、第２の反射部材４０ａ、４０ｂの第２の光反射面４１ａ、４１ｂ及び第３の光反射面４２ａ、４２ｂとは、図６に示すように、入射角が０°である垂直入射光Ｌｖが入射したときに、第１の主面１０ａへの集光効率が最高となるように設けられている。
【００６８】
太陽電池モジュール２では、第１の反射部材３０の第１の光反射面３１は、複数の第１の光反射面部３１ａと、複数の第２の光反射面部３１ｂと、複数の第３の光反射面部３１ｃと、複数の第４の光反射面部３１ｄとを有する。複数の第１の光反射面部３１ａと、複数の第２の光反射面部３１ｂと、複数の第４の光反射面部３１ｄと、複数の第３の光反射面部３１ｃとは、この順番でｘ方向に沿って配列されている。第１の光反射面部３１ａのｘ１側端部のｘ方向における位置は、太陽電池１０のｘ２側端部のｘ方向における位置と一致している。第１の光反射面部３１ａのｘ１側端部には、第３の光反射面部３１ｃのｘ２側端部が接続されている。第３の光反射面部３１ｃは、ｘ１側に向かってｚ１側に延びている。第３の光反射面部３１ｃのｘ１側他端部のｘ方向における位置は、太陽電池１０のｘ方向における中央のｘ方向における位置と一致している。第３の光反射面部３１ｃのｘ１側他端部と、第２の光反射面部３１ｂのｘ２側端部とは、第４の光反射面部３１ｄにより接続されている。第４の光反射面部３１ｄは、ｘ２側端部から、ｘ１側に向かってｚ２側に延びている。第４の光反射面部３１ｄのｘ１側端部のｘ方向における位置（すなわち、第２の光反射面部３１ｂのｘ２側端部のｘ方向における位置）は、太陽電池１０のｘ１側端部のｘ方向における位置と一致している。
【００６９】
太陽電池１０のｘ方向における中央部に垂直な面に関して、太陽電池モジュール２が面対称になっている。
【００７０】
ｘ方向に隣り合う太陽電池１０の中央に垂直な面に関して、太陽電池モジュール２が面対称になっている。
【００７１】
本実施形態における設計パラメータは以下の通りである。
【００７２】
第１の光反射面部３１ａのｘ方向に対する角度（θ５）と、第２の光反射面部３１ｂのｘ方向に対する角度（θ６）：１５°〜４５°が好ましい。具体的には、３０°である。
【００７３】
第３の光反射面部３１ｃのｘ方向に対する角度（θ７）と、第４の光反射面部３１ｄのｘ方向に対する角度（θ８）：４５°〜７５°が好ましい。具体的には、６０°である。
【００７４】
第１の光反射面部３１ａのｘ方向に沿った長さＬ２０と、第２の光反射面部３１ｂのｘ方向に沿った長さＬ２１：太陽電池１０のｘ方向に沿った長さＬ３の０．５倍以上が好ましい。具体的には、長さＬ２０，Ｌ２１は、長さＬ３と等しい。
【００７５】
第３の光反射面部３１ｃのｘ方向に沿った長さＬ２２と、第４の光反射面部３１ｄのｘ方向に沿った長さＬ２３：長さＬ３の０．２５倍〜０．７５倍が好ましい。具体的には、長さＬ２２，Ｌ２３は、長さＬ３の１／２倍である。
【００７６】
第１の主面１０ａと、第３の光反射面部３１ｃ及び第４の光反射面部３１ｄとの交差部との間のｚ方向に沿った距離Ｌ２４：長さＬ３の０．２倍〜０．５倍が好ましい。具体的には、長さＬ３の３−１／２／２倍である。
【００７７】
第３の光反射面部３１ｃ及び第４の光反射面部３１ｄのｚ方向に沿った長さＬ２５：長さＬ３の０．８倍〜１．０倍が好ましい。具体的には、長さＬ３の３１／２／２倍である。
【００７８】
第２の反射部材４０ａと第１の主面１０ａとの間のｚ方向に沿った最短距離Ｌ２６と、第２の反射部材４０ｂと第１の主面１０ａとの間のｚ方向に沿った最短距離Ｌ２８：長さＬ３の０．１５倍以下が好ましい。具体的には、長さＬ３の３−１／２／２倍である。
【００７９】
第２の反射部材４０ａのｚ方向に沿った長さＬ２７と、第２の反射部材４０ｂのｚ方向に沿った長さＬ２９：長さＬ３の０．２倍〜０．５倍が好ましい。具体的には、長さＬ３の３−１／２／２倍である。
【００８０】
第２の反射部材４０ａのｘ方向に沿った長さＬ３０と、第２の反射部材４０ｂのｘ方向に沿った長さＬ３１：長さＬ３の０．５倍以下が好ましい。具体的には、長さＬ３の１／２倍である。
【００８１】
第２の反射部材４０ａのｘ方向に対する角度θ９と、第２の反射部材４０ｂのｘ方向に対する角度θ１０：１５°〜４５°が好ましい。具体的には、３０°である。
【００８２】
図７は、第２の実施形態の参考例（第２の参考例）に係る太陽電池モジュール１０１の略図的断面図である。太陽電池モジュール１０１は、第２の反射部材４０ａ、４０ｂが設けられていない点を除いては、太陽電池モジュール２と実質的に同様の構成を有する。
【００８３】
太陽電池モジュール１０１に対して、入射角が２３．４°の光Ｌｓは、充填材２１の屈折率を１．５２とすると、充填材２１中では約１５°傾いて進行する。その場合、第１の光反射面部３１ａのうちの領域Ａ１１に入射した光と、第２の光反射面部３１ｂのうちの領域Ｂ１１に入射した光とが太陽電池１０の第１の主面１０ａに入射し、第１の光反射面部３１ａの領域Ａ１１以外の領域に入射した光と、第２の光反射面部３１ｂの領域Ｂ１１以外の領域に入射した光とは、第１の主面１０ａに入射しない。
【００８４】
それに対して太陽電池モジュール２では、入射角が２３．４°の光Ｌｓが入射した場合、第１の光反射面部３１ａのうちの領域Ａ１２に入射した光と、第２の光反射面部３１ｂのうちの領域Ｂ１２に入射した光と、第２の光反射面４１ａのうち領域Ａ１３及び領域Ａ１４に入射した光と、第２の光反射面４１ｂのうち領域Ｂ１３に入射した光とが太陽電池１０の第１の主面１０ａに入射する。ここで領域Ａ１１の面積は、領域Ａ１２と領域Ａ１３の面積の和と等しい。領域Ｂ１１の面積は、領域Ｂ１２と領域Ｂ１３の面積の和と等しい。このため、太陽電池モジュール２では、太陽電池モジュール１０１よりも領域Ａ１４に入射した光の文だけ、第１の主面１０ａに集光される光の量が多くなる。従って、太陽電池モジュール２においても、太陽電池モジュール１と同様に、垂直に光が入射したときの発電効率の低下を抑制しつつ、傾いて光が入射したときの発電効率を向上することができる。
【００８５】
（第２の実施形態の変形例）
図９は、第２の実施形態の変形例に係る太陽電池モジュール２ａの略図的断面図である。太陽電池モジュール２ａは、第２の反射部材４０ａの構成を除いては、太陽電池モジュール２と実質的に同様の構成を有する。
【００８６】
太陽電池モジュール２ａでは、第２の反射部材４０ａが図８に示す領域Ａ１４に対応した部分のみに形成されている。この場合であっても、太陽電池モジュール２と同様に、垂直に光が入射したときの発電効率の低下を抑制しつつ、傾いて光が入射したときの発電効率を向上することができる。
【００８７】
なお、本変形例においても、太陽電池１０のｘ方向における中央部に垂直な面に関して、太陽電池モジュール２ａが面対称になっている。
【００８８】
ｘ方向に隣り合う太陽電池１０の中央に垂直な面に関して、太陽電池モジュール２ａが面対称になっている。
【００８９】
太陽電池モジュール２ａでは、第２の光反射面４１ａのｚ１側端部（Ｅ６）と第１の主面１０ａのｚ方向における距離Ｌ１７は、第２の反射部材４０ａのｚ方向に沿った長さＬ１８未満である。長さＬ１８は、端部Ｅ２と、ｚ方向から見て第２の反射部材４０ｂのｘ２側端部（Ｅ６）と重なる第１の光反射面部３１ａとの点との間のｚ方向の長さＬ１９未満である。第２の反射部材４０ａのｘ方向に沿った長さＬ１０は、ｚ方向から見て第１の主面１０ａと重なっていない第１の光反射面部３１ａの部分のうち、第２の反射部材４０ａとｚ方向において重なっていない部分の長さＬ１１未満である。Ｌ１０／ｃｏｓθ４（斜面に沿った長さ）＜Ｌ１１／ｃｏｓθ２（斜面に沿った長さ）である。第２の光反射面４１ａ、４１ｂは、第２の光反射面ｂ４１ａ、４１ｂの法線方向から視た際に、第１の主面１０ａと重なる部分を有していない。
【００９０】
（第３の実施形態）
図１０は、第３の実施形態に係る太陽電池モジュール３の略図的断面図である。
【００９１】
太陽電池モジュール３は、第１の反射部材３０の構成を除いては、第２の実施形態に係る太陽電池モジュール２と実質的に同様の構成を有する。
【００９２】
太陽電池モジュール３は、保護基板２０側（ｚ１側）から光が入射するように配置される。太陽電池モジュール３は、低倍率集光型（具体的には、４倍集光型）の太陽電池モジュールである。
【００９３】
太陽電池モジュール３においても、太陽電池モジュール２と同様に、第１の反射部材３０の第１の光反射面３１と、第２の反射部材４０ａ、４０ｂの第２の光反射面４１ａ、４１ｂ及び第３の光反射面４２ａ、４２ｂとは、入射角が０°である垂直入射光が入射したときに、第１の主面１０ａへの集光効率が最高となるように設けられている。また、第１の光反射面３１は、複数の第１の光反射面部３１ａと、複数の第２の光反射面部３１ｂと、複数の第３の光反射面部３１ｃと、複数の第４の光反射面部３１ｄとを有する。
【００９４】
太陽電池１０のｘ方向における中央部に垂直な面に関して、太陽電池モジュール３が面対称になっている。
【００９５】
ｘ方向に隣り合う太陽電池１０の中央に垂直な面に関して、太陽電池モジュール３が面対称になっている。
【００９６】
太陽電池モジュール３では、垂直入射光のうち、第１の光反射面部３１ａの領域Ａ２１で反射した光は、保護基板２０の太陽電池１０側（ｚ２側）の主面で再度太陽電池１０側に反射させる。その後、太陽電池１０の第２の主面１０ｂから、太陽電池１０に入射する。
【００９７】
太陽電池モジュール３への光の入射方向が０°〜２３．４°である場合、屈折率が１．５２である充填材２１中では、光は、垂直方向（ｚ方向）に対して０°〜１５°傾斜した角度で下方（ｚ２側）に進行する。このため、第２の光反射面４１ａで反射すると、垂直方向（ｚ方向）に対して、４５°〜７５°の角度で上方（ｚ１側）に進行する。この場合、保護基板２０の太陽電池１０側（ｚ２側）の主面への入射角の大きさは、全反射する角度の範囲にある。従って、保護基板２０の太陽電池１０側（ｚ２側）の主面に向かう光は、保護基板２０の太陽電池１０側（ｚ２側）の主面において全反射され、太陽電池１０の第２の主面１０ｂに入射する。
【００９８】
太陽電池モジュール３においても、太陽電池モジュール１，２と同様に、垂直に光が入射したときの発電効率の低下を抑制しつつ、傾いて光が入射したときの発電効率を向上す
ることができる。
【００９９】
以下、太陽電池モジュール３における好ましい設計パラメータを示す。
【０１００】
第１の光反射面部３１ａのｘ方向に対する角度（θ１１）と、第２の光反射面部３１ｂのｘ方向に対する角度（θ１２）：１５°〜４５°が好ましい。具体的には、３０°である。
【０１０１】
第１の光反射面部３１ａのｘ方向に沿った長さＬ３１と、第２の光反射面部３１ｂのｘ方向に沿った長さＬ３２：長さＬ３の１．０倍以上が好ましい。具体的には、長さＬ３１，Ｌ３２は、長さＬ３の１．５倍である。
【０１０２】
太陽電池１０の第２の主面１０ｂと保護基板２０との間のｚ方向に沿った距離Ｌ４１：長さＬ３の０．２倍〜０．５倍が好ましい。具体的には、長さＬ３の（１／２）・３−１／２倍である。
【０１０３】
なお、第３の実施形態において、第３の光反射面部３１ｃのｘ方向に対する角度（θ１３）、第４の光反射面部３１ｄのｘ方向に対する角度（θ１４）、第３の光反射面部３１ｃのｘ方向に沿った長さＬ３３、第４の光反射面部３１ｄのｘ方向に沿った長さＬ３４、第１の主面１０ａと、第３の光反射面部３１ｃ及び第４の光反射面部３１ｄとの交差部との間のｚ方向に沿った距離Ｌ３５、第３の光反射面部３１ｃ及び第４の光反射面部３１ｄのｚ方向に沿った長さＬ３６、第２の反射部材４０ａと第１の主面１０ａとの間のｚ方向に沿った最短距離Ｌ３７、第２の反射部材４０ｂと第１の主面１０ａとの間のｚ方向に沿った最短距離Ｌ３８、第２の反射部材４０ａのｚ方向に沿った長さＬ３９、第２の反射部材４０ｂのｚ方向に沿った長さＬ４０、第２の反射部材４０ａのｘ方向に沿った長さＬ４２、第２の反射部材４０ｂのｘ方向に沿った長さＬ４３、第２の反射部材４０ａのｘ方向に対する角度θ１５及び第２の反射部材４０ｂのｘ方向に対する角度θ１のそれぞれの好ましい範囲は、第２の実施形態において示した好ましい範囲と同様である。
【０１０４】
（第４の実施形態）
図１１は、第４の実施形態に係る太陽電池モジュール４の略図的断面図である。
【０１０５】
太陽電池モジュール４は、第２の反射部材４０ａ、４０ｂと、第１の光反射面部３１ａ及び第２の光反射面部３１ｂとを除いては、第２の実施形態に係る太陽電池モジュール３と実質的に同様の構成を有する。
【０１０６】
太陽電池モジュール４は、保護基板２０側（ｚ１側）から光が入射するように配置される。太陽電池モジュール４は、低倍率集光型（具体的には、４倍集光型）の太陽電池モジュールである。
【０１０７】
太陽電池モジュール４においても、太陽電池モジュール３と同様に、第１の反射部材３０の第１の光反射面３１と、第２の反射部材４０ａ、４０ｂの第２の光反射面４１ａ、４１ｂ及び第３の光反射面４２ａ、４２ｂとは、入射角が０°である垂直入射光が入射したときに、第１の主面１０ａへの集光効率が最高となるように設けられている。また、第１の光反射面３１は、複数の第１の光反射面部３１ａと、複数の第２の光反射面部３１ｂと、複数の第３の光反射面部３１ｃと、複数の第４の光反射面部３１ｄとを有する。
【０１０８】
太陽電池１０のｘ方向における中央部に垂直な面に関して、太陽電池モジュール４が面対称になっている。
【０１０９】
ｘ方向に隣り合う太陽電池１０の中央に垂直な面に関して、太陽電池モジュール４が面対称になっている。
【０１１０】
太陽電池モジュール４では、第１の光反射面部３１ａは、第１の平面部３１ａ１と第２の平面部３１ａ２との２つの平面部を有する。第１の平面部３１ａ１は、第２の平面部３１ａ２よりも太陽電池１０側（ｘ１側）に位置している。第１の平面部３１ａ１の太陽電池１０の延びる方向であるｘ方向に対する角度θ１７は、第２の平面部３１ａ２のｘ方向に対する角度θ１８よりも小さい。
【０１１１】
第２の光反射面４１ａは、第１の平面部４１ａ１と第２の平面部４１ａ２との２つの平面部を有する。第１の平面部４１ａ１は、第２の平面部４１ａ２よりも太陽電池１０側（ｘ１側）に位置している。第１の平面部４１ａ１の太陽電池１０の延びる方向であるｘ方向に対する角度θ２１は、第２の平面部４１ａ２のｘ方向に対する角度θ２２よりも小さい。
【０１１２】
第３の光反射面４２ａは、第１の平面部４２ａ１と第２の平面部４２ａ２との２つの平面部を有する。第１の平面部４２ａ１は、第２の平面部４２ａ２よりも太陽電池１０側（ｘ１側）に位置している。第１の平面部４２ａ１は、第１の平面部４１ａ１と平行である。第２の平面部４２ａ２は、第２の平面部４１ａ２と平行である。
【０１１３】
太陽電池モジュール４では、角度θ１７，θ２１，θ１９，θ２３は、２２．５°である。角度θ１８，θ２２，θ２０，θ２４は、３０°である。
【０１１４】
このように、太陽電池モジュール４では、第１の光反射面３１のうち、ｚ方向において太陽電池１０と重ならない第１の光反射面部３１ａ及び第２の光反射面部３１ｂと、第２の光反射面４１ａ、４１ｂと、第３の光反射面４２ａ、４２ｂとのそれぞれがｘ方向において隣り合う２つの平面部を有する。従って、さらに高い集光効率及び発電効率を実現することが可能となる。
【０１１５】
なお、第１の光反射面３１のうち、ｚ方向において太陽電池１０と重ならない第１の光反射面部３１ａ及び第２の光反射面部３１ｂと、第２の光反射面４１ａ、４１ｂと、第３の光反射面４２ａ、４２ｂとのそれぞれは、ｘ方向において隣り合う３つ以上の平面部を有していてもよい。
【０１１６】
以下、太陽電池モジュール４における好ましい設計パラメータを示す。
【０１１７】
第３の光反射面部３１ｃのｘ方向に対する角度（θ２５）と、第４の光反射面部３１ｄのｘ方向に対する角度（θ２６）：６０°が好ましい。
【０１１８】
第１の平面部３１ａ１のｘ方向に沿った長さＬ４４と、第１の平面部３１ｂ１のｘ方向に沿った長さＬ４５：Ｌ３／２
第２の平面部３１ａ２のｘ方向に沿った長さＬ４６と、第２の平面部３１ｂ２のｘ方向に沿った長さＬ４７：長さＬ４６，Ｌ４７は、長さＬ３と等しい。
【０１１９】
第３の光反射面部３１ｃのｘ方向に沿った長さＬ４８と、第４の光反射面部３１ｄのｘ方向に沿った長さＬ４９：Ｌ３／２
第３の光反射面部３１ｃ及び第４の光反射面部３１ｄのｚ方向に沿った長さＬ５１：３１／２Ｌ３／２
第２の反射部材４０ａと第１の主面１０ａとの間のｚ方向に沿った距離Ｌ５２と、第２の反射部材４０ｂと第１の主面１０ａとの間のｚ方向に沿った距離Ｌ５３：３−１／２Ｌ
３／２
第２の平面部４１ａ２，４２ａ２のｚ方向に沿った長さＬ５６と、第２の平面部４１ｂ２，４２ｂ２のｚ方向に沿った長さＬ５７：３−１／２Ｌ３／２
第１の平面部４２ａ１の太陽電池１０とは反対側（ｘ２側）の端部と、第１の平面部３１ａ１の太陽電池１０とは反対側（ｘ２側）の端部との間の距離Ｌ５８と、第１の平面部４２ｂ１の太陽電池１０とは反対側（ｘ１側）の端部と、第１の平面部３１ｂ１の太陽電池１０とは反対側（ｘ１側）の端部との間の距離Ｌ５９：３−１／２Ｌ３／２
第１の平面部４１ａ１のｘ方向に沿った長さＬ６０と、第１の平面部４１ｂ１のｘ方向に沿った長さＬ６１：Ｌ３／２
第２の平面部４１ａ２のｘ方向に沿った長さＬ６３と、第２の平面部４１ｂ２のｘ方向に沿った長さＬ６４：Ｌ３／２
【０１２０】
（第５の実施形態）
図１２は、第５の実施形態に係る太陽電池モジュール５の略図的断面図である。
【０１２１】
太陽電池モジュール５は、第２の反射部材４０ａ、４０ｂと、第１の光反射面部３１ａ及び第２の光反射面部３１ｂとを除いては、第２の実施形態に係る太陽電池モジュール３と実質的に同様の構成を有する。
【０１２２】
太陽電池モジュール５は、保護基板２０側（ｚ１側）から光が入射するように配置される。太陽電池モジュール５は、低倍率集光型（具体的には、４倍集光型）の太陽電池モジュールである。
【０１２３】
太陽電池モジュール５においても、太陽電池モジュール３と同様に、第１の反射部材３０の第１の光反射面３１と、第２の反射部材４０ａ、４０ｂの第２の光反射面４１ａ、４１ｂ及び第３の光反射面４２ａ、４２ｂとは、入射角が０°である垂直入射光が入射したときに、第１の主面１０ａへの集光効率が最高となるように設けられている。また、第１の光反射面３１は、複数の第１の光反射面部３１ａと、複数の第２の光反射面部３１ｂと、複数の第３の光反射面部３１ｃと、複数の第４の光反射面部３１ｄとを有する。
【０１２４】
太陽電池１０のｘ方向における中央部に垂直な面に関して、太陽電池モジュール５が面対称になっている。
【０１２５】
ｘ方向に隣り合う太陽電池１０の中央に垂直な面に関して、太陽電池モジュール５が面対称になっている。
【０１２６】
太陽電池モジュール５では、第１の光反射面３１の太陽電池１０とｚ方向において重ならない部分である第１の光反射面部３１ａ及び第２の光反射面部３１ｂと、第２の光反射面４１ａ、４１ｂと、第３の光反射面４２ａ、４２ｂとのそれぞれが曲面からなる。このため、より優れた集光効率及び発電効率を実現し得る。
【０１２７】
以下、太陽電池モジュール５における好ましい設計パラメータの例を示す。
【０１２８】
第３の光反射面部３１ｃのｘ方向に対する角度（θ２７）と、第４の光反射面部３１ｄのｘ方向に対する角度（θ２８）：６０°
太陽電池１０のｘ１側端部と、第１の光反射面部３１ａ及び第２の光反射面部３１ｂの交差部との間の距離Ｌ６６：３Ｌ３／２
第２の反射部材４０ａ、４０ｂのｘ方向に沿った長さＬ６７，Ｌ６８：長さＬ３と同じ
第１の主面１０ａと、第２の光反射面４１ａ、４１ｂとの間の最短距離Ｌ６９，Ｌ７０：３−１／２Ｌ３
第２の反射部材４０ａのｘ２側端部と第１の光反射面部３１ａのｘ２側端部との間のｚ方向における距離Ｌ１１３：３−１／２Ｌ３／２
第１の光反射面部３１ａのｘ１側端部とｘ２側端部との間のｚ方向に沿った距離Ｌ１１４：３１／２Ｌ３／２
【０１２９】
（第６の実施形態）
図１３は、第６の実施形態に係る太陽電池モジュール６の略図的断面図である。
【０１３０】
太陽電池モジュール６は、第２の反射部材４０ａ、４０ｂと、第１の反射部材３０とを除いては、第３の実施形態に係る太陽電池モジュール３と実質的に同様の構成を有する。
【０１３１】
太陽電池モジュール６は、保護基板２０側（ｚ１側）から光が入射するように配置される。太陽電池モジュール６は、低倍率集光型（具体的には、２．５倍集光型）の太陽電池モジュールである。
【０１３２】
太陽電池モジュール６においても、太陽電池モジュール３と同様に、第１の反射部材３０の第１の光反射面３１と、第２の反射部材４０ａ、４０ｂの第２の光反射面４１ａ、４１ｂ及び第３の光反射面４２ａ、４２ｂとは、入射角が０°である垂直入射光が入射したときに、第１の主面１０ａへの集光効率が最高となるように設けられている。また、第１の光反射面３１は、複数の第１の光反射面部３１ａと、複数の第２の光反射面部３１ｂと、複数の第３の光反射面部３１ｃと、複数の第４の光反射面部３１ｄとを有する。
【０１３３】
太陽電池１０のｘ方向における中央部に垂直な面に関して、太陽電池モジュール６が面対称になっている。
【０１３４】
ｘ方向に隣り合う太陽電池１０の中央に垂直な面に関して、太陽電池モジュール６が面対称になっている。
【０１３５】
太陽電池モジュール６では、第２の反射部材４０ａ、４０ｂが三角柱状である。第２の反射部材４０ａは、第２の光反射面４１ａと、第３の光反射面４２ａと、第４の光反射面４３ａとを有する。第２の光反射面４１ａは、法線方向がｚ１方向からｘ１方向に傾いた方向に延びるように設けられている。第３の光反射面４２ａは、ｘ方向及びｙ方向に沿って設けられている。すなわち、第３の光反射面４２ａは、第１の主面１０ａと平行である。このため、第２の光反射面４１ａと第３の光反射面４２ａとは傾斜している。第４の光反射面４３ａは、ｚ方向及びｙ方向に沿って設けられている。
【０１３６】
第２の反射部材４０ｂは、第２の光反射面４１ｂと、第３の光反射面４２ｂと、第４の光反射面４３ｂとを有する。第２の光反射面４１ｂは、法線方向がｘ２側に向かってｚ１側に延びるように設けられている。第３の光反射面４２ｂは、ｘ方向及びｙ方向に沿って設けられている。すなわち、第３の光反射面４２ｂは、第１の主面１０ａと平行である。このため、第２の光反射面４１ｂと第３の光反射面４２ｂとは傾斜している。第４の光反射面４３ｂは、ｚ方向及びｙ方向に沿って設けられている。
【０１３７】
太陽電池モジュール６においても、太陽電池モジュール１〜５と同様に、垂直に光が入射したときの発電効率の低下を抑制しつつ、傾いて光が入射したときの発電効率を向上することができる。
【０１３８】
また、太陽電池モジュール１と比較して、第３の光反射面部３１ｃのｘ方向に対する角度θ３０と、第４の光反射面部３１ｄのｘ方向に対する角度θ３１とを小さくできる。よって、第１の反射部材３０の作製が容易となる。また、充填材２１の成形も容易となる。
【０１３９】
以下、太陽電池モジュール６における好ましい設計パラメータの例を示す。
【０１４０】
第３の光反射面部３１ｃのｘ方向に対する角度θ３０と、第４の光反射面部３１ｄのｘ方向に対する角度θ３１：３０°
第１の光反射面部３１ａのｘ方向に対する角度θ３２と、第２の光反射面部３１ｂのｘ方向に対する角度θ３３：３０°
第２の光反射面４１ａのｘ方向に対する角度θ３４と、第２の光反射面４１ｂのｘ方向に対する角度θ３５：３０°
第２の光反射面４１ａのｚ方向に対する角度θ３４と、第２の光反射面４１ｂのｚ方向に対する角度θ３５：６０°
第３の光反射面４２ａ、４２ｂのｘ方向における長さＬ７１，Ｌ７２：Ｌ３／２
第２の光反射面４１ａ、４１ｂのｚ方向に対する長さＬ７３，Ｌ７４：Ｌ３／２
第２の光反射面４１ａ、４１ｂの上端（ｚ１側端部）と第１の主面１０ａとの間の距離Ｌ７５，Ｌ７６：３−１／２Ｌ３／２
第１の光反射面部３１ａのｘ方向における長さＬ７７と第２の光反射面部３１ｂのｘ方向における長さＬ７８：Ｌ３／２
第３の光反射面部３１ｃのｘ方向における長さＬ７９と第４の光反射面部３１ｄのｘ方向における長さＬ８０：３Ｌ３／４
【０１４１】
（第７の実施形態）
図１４は、第７の実施形態に係る太陽電池モジュール７の略図的断面図である。
【０１４２】
太陽電池モジュール７は、第１の光反射面３１の構成を除いては、太陽電池モジュール６と実質的に同様の構成を有する。
【０１４３】
太陽電池モジュール７は、保護基板２０側（ｚ１側）から光が入射するように配置される。太陽電池モジュール７は、低倍率集光型（具体的には、２．５倍集光型）の太陽電池モジュールである。
【０１４４】
太陽電池モジュール７では、第１の光反射面部３１ａと第３の光反射面部３１ｃとの間に、第１の主面１０ａと平行な第５の光反射面部３１ｅが設けられている。また、第３の光反射面部３１ｃと第４の光反射面部３１ｄとの間に、第１の主面１０ａと平行な第６の光反射面部３１ｆが設けられている。すなわち、太陽電池モジュール７は、図１３の太陽電池モジュール６の３１ｃと３１ａからなるＶ字状の部分及び３１ｂと３１ｄからなるＶ字状の一部分を、光反射面部３１ｅと３１ｆで置き換えた構成を有する。このため、太陽電池モジュール７の厚みを低減することができる。また、第１の光反射面３１の凹凸の大きさが小さいため、充填材２１の成形が容易である。
【０１４５】
太陽電池１０のｘ方向における中央部に垂直な面に関して、太陽電池モジュール７が面対称になっている。
【０１４６】
ｘ方向に隣り合う太陽電池１０の中央に垂直な面に関して、太陽電池モジュール７が面対称になっている。
【０１４７】
以下、太陽電池モジュール７における好ましい設計パラメータの例を示す。
【０１４８】
第５の光反射面部３１ｅのｘ方向に沿った長さＬ８１と、第６の光反射面部３１ｆのｘ方向に沿った長さＬ８２：Ｌ３／２
第１の光反射面部３１ａのｘ方向に沿った長さＬ８３と、第２の光反射面部３１ｂのｘ
方向に沿った長さＬ８４：Ｌ３／４
第３の光反射面部３１ｃのｘ方向に沿った長さＬ５と、第４の光反射面部３１ｄのｘ方向に沿った長さＬ８６：Ｌ３／４
第３の光反射面４２ａ、４２ｂと第５の光反射面部３１ｅとの間のｚ方向に沿った距離Ｌ８７：３−１／２Ｌ３／２
第３の光反射面４２ａ、４２ｂと第６の光反射面部３１ｆとの間のｚ方向に沿った距離Ｌ８８：３−１／２Ｌ３／４
【０１４９】
（第８の実施形態）
図１５は、第８の実施形態に係る太陽電池モジュール８の略図的断面図である。
【０１５０】
太陽電池モジュール８は、第１の光反射面３１の構成と、第２の反射部材とを除いては、第７の実施形態に係る太陽電池モジュール７と実質的に同様の構成を有する。
【０１５１】
太陽電池モジュール８は、保護基板２０側（ｚ１側）から光が入射するように配置される。太陽電池モジュール７は、低倍率集光型（具体的には、３倍集光型）の太陽電池モジュールである。
【０１５２】
太陽電池モジュール８の第１の光反射面３１は、第１の光反射面部３１ａ、第２の光反射面部３１ｂ、第３の光反射面部３１ｃ、第４の光反射面部３１ｄ及び第５の光反射面部３１ｅにより構成されている。また、太陽電池モジュール８では、複数の第２の反射部材４０ａが太陽電池１０の第１の主面１０ａの法線方向と平行なｚ方向に沿って複数配列されている。具体的には、第２の反射部材４０ａのｚ１側に、さらなる第２の反射部材５０ａが配置されている。第２の反射部材４０ｂのｚ１側に、さらなる第２の反射部材５０ｂが配置されている。第２の反射部材５０ａ、５０ｂは、第２の光反射面５１ａ、５１ｂと、第３の光反射面５２ａ、５２ｂとを有する。第２の光反射面５１ａ、５１ｂは、受光面側（ｚ１側）を向いている。第３の光反射面５２ａ、５２ｂは、裏面側（ｚ２側）を向いている。
【０１５３】
このように、複数の第２の反射部材をｚ方向に沿って複数設けた場合であっても、太陽電池モジュール１〜７と同様に、垂直に光が入射したときの発電効率の低下を抑制しつつ、傾いて光が入射したときの発電効率を向上することができる。
【０１５４】
太陽電池１０のｘ方向における中央部に垂直な面に関して、太陽電池モジュール８が面対称になっている。
【０１５５】
ｘ方向に隣り合う太陽電池１０の中央に垂直な面に関して、太陽電池モジュール８が面対称になっている。
【０１５６】
以下、太陽電池モジュール８における好ましい設計パラメータの例を示す。
【０１５７】
第５の光反射面部３１ｅのｘ方向に沿った長さＬ８９：長さＬ３と等しい。
【０１５８】
第１の光反射面部３１ａのｘ方向に沿った長さＬ９０と、第２の光反射面部３１ｂのｘ方向に沿った長さＬ９１：Ｌ３／４
第２の反射部材５０ａ、５０ｂの第５の光反射面部３１ｅと平行な部分のｘ方向の両側に位置する傾斜部のｘ方向に沿った長さＬ９２，Ｌ９３，Ｌ９４，Ｌ９５：Ｌ３／４
第２の反射部材５０ａ、５０ｂの第５の光反射面部３１ｅと平行な部分のｘ方向に沿った長さＬ９６，Ｌ９７：Ｌ３／２
第２の反射部材５０ａ、５０ｂのｚ方向に沿った長さＬ９８，Ｌ９９：３−１／２Ｌ３
／４
第２の反射部材５０ａ、５０ｂと第３の光反射面５２ａ、５２ｂとの間のｚ方向に沿った距離Ｌ１００，Ｌ１０１：３−１／２Ｌ３／４
第１の光反射面部３１ａと第２の光反射面部３１ｂとのｚ方向に沿った長さＬ１０２：３−１／２Ｌ３／４
第２の反射部材５０ａ、５０ｂと第１の光反射面３１とのｚ方向に沿った距離Ｌ１０３，Ｌ１０４：３−１／２Ｌ３／２
（変形例）
保護基板２０のｚ２側の主面の全面の上に、紫外線を可視光に変換する蛍光体を配置してもよい。
【０１５９】
保護基板２０のｚ２側の主面の全面の上に、第２の太陽電池を配置し、タンデム型太陽電池等の積層型太陽電池を構成してもよい。ここで、第２の太陽電池のバンドギャップは、太陽電池１０のバンドギャップよりも大きい。太陽電池１０が結晶シリコン基板を有する場合、第２の太陽電池は、アモルファスＳｉ層、アモルファスＳｉＣ層、Ｃｕ２ＭｇｘＺｎ１−ｘＧｅｙＳｎ１−ｙＯｚＳ４−ｚで表される化合物半導体からなる層、ＺｎＯＳ層、ＧａＩｎＮ層などを有するものとすることができる。
【符号の説明】
【０１６０】
１〜８，２ａ…太陽電池モジュール
１０…太陽電池
１０ａ…第１の主面
１０ｂ…第２の主面
１１…単結晶シリコン基板
１２…アモルファスシリコン層
１３…アモルファスシリコン層
１４…透明電極
１５…集電電極
１６…アモルファスシリコン層
１７…アモルファスシリコン層
１８…透明電極
１９…集電電極
２０…保護基板
２１…充填材
３０…第１の反射部材
３１…第１の光反射面
３１ａ…第１の光反射面部
３１ａ１…第１の平面部
３１ａ２…第２の平面部
３１ｂ…第２の光反射面部
３１ｂ１…第１の平面部
３１ｂ２…第２の平面部
３１ｃ…第３の光反射面部
３１ｄ…第４の光反射面部
３１ｅ…第５の光反射面部
３１ｆ…第６の光反射面部
４０ａ、４０ｂ…第２の反射部材
４１ａ、４１ｂ…第２の光反射面
４１ａ１、４１ｂ１…第１の平面部
４１ａ２、４１ｂ２…第２の平面部
４２ａ、４２ｂ…第３の光反射面
４２ａ１、４２ｂ１…第１の平面部
４２ａ２、４２ｂ２…第２の平面部
４３ａ…第４の光反射面
４３ｂ…第４の光反射面
５０ａ、５０ｂ…第２の反射部材
５１ａ、５１ｂ…第２の光反射面
５２ａ、５２ｂ…第３の光反射面
【図１】
2012204596.tif 000003
【図２】
2012204596.tif 000004
【図３】
2012204596.tif 000005
【図４】
2012204596.tif 000006
【図５】
2012204596.tif 000007
【図６】
2012204596.tif 000008
【図７】
2012204596.tif 000009
【図８】
2012204596.tif 000010
【図９】
2012204596.tif 000011
【図１０】
2012204596.tif 000012
【図１１】
2012204596.tif 000013
【図１２】
2012204596.tif 000014
【図１３】
2012204596.tif 000015
【図１４】
2012204596.tif 000016
【図１５】
2012204596.tif 000017